(57)【要約】【課題】電池接片の電池への追従性が良く、操作性が良好な電池蓋機構を提供する。【解決手段】電子機器１００は、電池室２００及び第１の係合部２０１ａを有する本体１１０と、開位置と閉位置との間で回転する電池蓋機構１５０とを有する。電池蓋機構は、本体に対して回転可能に取り付けられた蓋支持部材１３１と、第２の係合部１５０ａを有し、第２の係合部が第１の係合部に係合するロック位置と該係合を解除するロック解除位置との間で蓋支持部材に対してスライド可能な蓋部材１３０と、蓋部材のスライド面に直交する方向に移動可能な電池接片１３６，１３７と、蓋部材のスライドに伴って電池接片を上記スライド面に直交する方向に移動させる駆動部材１４０とを有する。蓋部材がロック解除位置からロック位置に向かってスライドする際に、第２の係合部が第１の係合部に係合し始めた後に、駆動部材が電池接片を移動させる。【選択図】図１
2010205516.tif 000002
【特許請求の範囲】
【請求項１】
電池が挿入される電池室、及び第１の係合部を有する本体と、
前記電池室の開口部を開く開位置と該開口部を閉じる閉位置との間で回転する電池蓋機構とを有し、
該電池蓋機構は、
前記本体に対して、前記開位置と前記閉位置の方向に回転可能に取り付けられた蓋支持部材と、
第２の係合部を有し、前記閉位置において、前記第２の係合部が前記第１の係合部に係合するロック位置と該係合を解除するロック解除位置との間で前記蓋支持部材に対してスライド可能な蓋部材と、
前記蓋部材に対して、該蓋部材のスライド面に直交する方向に移動可能な電池接片と、
前記蓋部材のスライドに伴って前記電池接片を前記スライド面に直交する方向に移動させる駆動部材とを有し、
前記蓋部材が前記ロック解除位置から前記ロック位置に向かってスライドする際に、前記第２の係合部が前記第１の係合部に係合し始めた後に、前記駆動部材が前記電池接片を移動させることを特徴とする電子機器。
【請求項２】
前記電池接片は、前記蓋部材がスライドする際に、該蓋部材のスライド方向と同方向にスライドしながら前記スライド面に直交する方向に移動することを特徴とする請求項１に記載の電子機器。
【請求項３】
前記電池接片は接片固定部材に固定されており、
該接片固定部材は、前記電池接片と前記蓋支持部材との間を電気的に絶縁することを特徴とする請求項１又は２に記載の電子機器。
【発明の詳細な説明】
【技術分野】
【０００１】
本発明は、撮像装置や携帯型端末装置等の電子機器に関し、特に電池を用いる電子機器に関する。
【背景技術】
【０００２】
上記のような電子機器には、電池を収納するための電池室が設けられており、電池を挿入する開口部は電池蓋で閉じられる。電池室と電池蓋にはそれぞれ、電池の端子に接触するための電池接片が設けられている。
電池の電極面が空気に触れると、該電極面に酸化金属被膜が形成され、接触抵抗が大きくなり、導通不良の原因になることが知られている。このため、電池室に電池を挿入して電池蓋を閉めるという一連の操作の中で、電池の電極面にできた酸化被膜を電池接片によって削り取ることで接触抵抗を小さくする必要がある。
また、電子機器に加わった衝撃等により、一時的に電池接片と電池の電極面とが接触しなくなり、電子機器の電源が切れる現象（以下、この現象を瞬断という）が生じる場合がある。例えば、撮像装置により取得した画像データをパーソナルコンピュータに取り込んでいる最中に瞬断が生じると、画像データを破損してしまうおそれがある。このため、電池接片は、電池室内での電池の移動に追従できるように、撓み量が大きく、かつ電池の電極面への接触圧も大きいことが望ましい。
ただし、電池接片の撓み量や接触圧を大きくすると、電池蓋を閉じる際に必要な操作力が増加する。このため、特に電池を複数本使用する電子機器では、電池蓋を閉じるための操作力が重くなってしまう。このため、電池への追従性が良好であり、電池の本数が増えても小さな操作力で電池蓋を閉じることができる電池蓋機構が望まれる。
特許文献１には、電池接片の変位量を電池蓋に設けられた制限部により制限する電池蓋機構が開示されている。この電池蓋機構によれば、電池蓋が開けられた際、電池接片が電池蓋の制限部に押圧されて電池接片の撓み量が抑えられる。また、電池蓋が閉じられた際には、電池接片は電池蓋の制限部による押圧から解放され、電池からの押圧によって大きく撓むことができるため、電池への追従性が良くなる。
【先行技術文献】
【特許文献】
【０００３】
【特許文献１】特開２００７−２８７４２３号公報
【発明の概要】
【発明が解決しようとする課題】
【０００４】
しかしながら、特許文献１にて開示された電池蓋機構では、接片圧を大きくしたり、電池の本数が増えたりすると、電池蓋を閉める際の回転操作及びスライド操作に必要な力が大きくなる。
本発明は、電池接片の電池への追従性が良く、かつ電池の本数が増えても操作性が良好な電池蓋機構を有する電子機器を提供する。
【課題を解決するための手段】
【０００５】
本発明の一側面としての電子機器は、電池が挿入される電池室、及び第１の係合部を有する本体と、電池室の開口部を開く開位置と該開口部を閉じる閉位置との間で回転する電池蓋機構とを有する。電池蓋機構は、本体に対して、開位置と閉位置の方向に回転可能に取り付けられた蓋支持部材と、第２の係合部を有し、閉位置において、第２の係合部が第１の係合部に係合するロック位置と該係合を解除するロック解除位置との間で蓋支持部材に対してスライド可能な蓋部材と、蓋部材に対して、該蓋部材のスライド面に直交する方向に移動可能な電池接片と、蓋部材のスライドに伴って電池接片を上記スライド面に直交する方向に移動させる駆動部材とを有する。そして、蓋部材がロック解除位置からロック位置に向かってスライドする際に、第２の係合部が第１の係合部に係合し始めた後に、駆動部材が電池接片を移動させることを特徴とする。
【発明の効果】
【０００６】
本発明によれば、電池を電池室に挿入して電池蓋機構を閉じた後、蓋部材をロック位置の方向にスライドさせるまでは、電池接片が蓋部材のスライド面に直交する方向（電池に近づく方向）に移動せず、電池に対して押し付けられない。このため、電池蓋機構を閉じる際に必要な操作力が軽減される。しかも、蓋部材に設けられた第２の係合部が電池室を形成する本体に設けられた第１の係合部に係合し始めた状態で電池接片が電池に近づく方向に移動して電池に対して押し付けられる。このため、蓋部材をスライドさせるのに必要な操作力を軽減しつつ、電池接片の電池に対する接触圧を大きくすることができる。したがって、電池接片の電池への追従性が良く、かつ電池の本数が増えても操作性が良好な電池蓋機構を有する電子機器を実現することができる。
【図面の簡単な説明】
【０００７】
【図１】本発明の実施例であるデジタルカメラに設けられた電池蓋機構の構成を示す斜視図。
【図２】実施例のデジタルカメラの外観を示す斜視図。
【図３】実施例の電池蓋機構の一部を示す斜視図。
【図４】実施例の電池蓋機構を構成する接片固定部材を裏側から見たときの斜視図。
【図５】実施例の電池蓋機構を構成する電池蓋の一部を示す斜視図。
【図６】実施例の電池室と電池蓋機構の構成を示す斜視図。
【図７】実施例の電池蓋機構（電池蓋がロック解除位置にある状態）の構成を示す断面図。
【図８】実施例の電池蓋機構が閉位置にあり、電池蓋がロック解除位置にある状態での係合部間の位置関係を示す断面図。
【図９】実施例の電池蓋機構が閉位置にあり、電池蓋がロック位置にスライドする途中の状態での係合部間及び斜面部間の位置関係を示す断面図。
【図１０】実施例における接片圧の変化を示す図。
【図１１】実施例の電池蓋機構を構成するロックレバーの動作を示す斜視図。
【図１２】実施例の電池蓋機構（電池蓋がロック位置にある状態）の構成を示す断面図。
【発明を実施するための形態】
【０００８】
以下、本発明の好ましい実施例について図面を参照しながら説明する。
図２には、本発明の実施例である電子機器としてのデジタルカメラ（撮像装置）の外観を示している。図２において、デジタルカメラ１００は、カメラ本体１１０と、レンズ鏡筒１２０とを有する。カメラ本体１１０には、電源ボタン１１１と、レリーズボタン１１２とを有する。カメラ１００は、レリーズボタン１１２が半押し操作されるとＡＦやＡＥ等の撮像準備動作を開始し、全押し操作されると記録用画像を生成する。
１１３はモードダイヤルであり、回転されることによって、シャッタースピード優先モード、絞り優先モード、動画撮像モード、ナイトモード、スポーツモード等、各種撮像モードを切り替えることができる。
１１４は液晶パネル等の表示素子であり、カメラ本体１１０内の不図示の撮像素子を用いて生成された画像（電子ファインダ画像や記録用画像）を表示する。
１１５は光学ファインダであり、ユーザは該光学ファインダ１１５を介して被写体を観察することができる。
カメラ本体１１０内には、電池室２００が設けられている。カメラ本体１１０の底面には、電池室２００の開口部を開閉する電池蓋機構１５０が設けられている。
図１には、電池蓋機構１５０を分解して示している。電池蓋機構１５０は、金属製の電池蓋支持板（蓋支持部材）１３１をベース部材として有する。該電池蓋支持板１３１は、回転軸となるシャフト１３２を介して、カメラ本体１１０に、電池蓋機構１５０が電池室の開口部を開く開位置と該開口部を閉じる閉位置の方向に回転可能に取り付けられている。
蓋部材としての電池蓋１３０は、電池蓋支持板１３１に対してＢ方向にスライド可能に連結されている。電池蓋１３０は、電池蓋機構１５０が閉位置にある状態では、電池蓋支持板１３１に対して、後述する電池蓋係合部がカメラ本体１１０に設けられた本体係合爪に係合するロック位置と該係合を解除するロック解除位置との間でスライドする。
ロックレバー１３３は、ロックレバースプリング１３４によりＡ方向（電池蓋１３０のスライド面内においてＢ方向に直交する方向のうち一方）に常に付勢されている。ロックレバー１３３は、ユーザによってＡ方向とは反対方向にスライド操作することができる。
電池蓋機構１５０が閉位置にあり、電池蓋１３０がロック位置にある状態では、ロックレバー１３３がロックレバースプリング１３４の付勢力によって電池蓋支持板１３１と係合する。これにより、電池蓋１３０は電池蓋支持板１３１に対してロックされ、Ｂ方向のうちロック解除位置側にスライドすることはできない。
ロックレバー１３３を、電池蓋１３０に対して、ロックレバースプリング１３４の付勢力に抗してＡ方向とは逆方向にスライドさせることで、電池蓋１３０がロック解除位置の方向にスライド可能になる。電池蓋１３０がロック解除位置にスライドさせることで、電池蓋機構１５０をシャフト１３２を中心として開位置に回転させることができるようになる。
１３５は絶縁性材料により形成された接片固定部材であり、電池蓋１３０に対して、電池蓋１３０のスライド面に直交する方向（以下、接片押圧方向という）に移動可能に連結されている。接片固定部材１３５には、導電材料により形成された第１の電池接片１３６と第２の電池接片１３７が熱カシメにより固定されている。接片固定部材１３５は、電池接片１３６，１３７と金属製の電池蓋支持板１３１との間に配置されており、電池接片１３６，１３７と電池蓋支持板１３１とを電気的に絶縁する。これにより、例えば、電池蓋支持板１３１をＧＮＤに落としてもショートしにくい構造を実現できる。
電池接片１３６，１３７にはそれぞれ、電池の逆接続を防止する逆接続防止部材１３８ａ，１３９ａ，１３８ｂ，１３９ｂが熱カシメで固定されている。各逆接続防止部材により、ユーザが所定の向きとは反対の向きで電池を電池室に装填した際に、電池の電極面と電池接片１３６，１３７とが接触することが防止される。これにより、電池の液漏れを防止できる。
１４０は、電池蓋１３０のＢ方向へのスライドに伴って、接片固定部材１３５及び電池接片１３６，１３７を、電池蓋１３０に対して接片押圧方向に移動させる駆動部材である。該駆動部材１４０は、ビス１４０ａ，１４０ｂによって電池蓋支持板１３１に固定されている。
次に、図３、図４、図５及び図６を用いて、電池蓋１３０がロック位置からロック解除位置にスライド操作され、電池蓋機構１５０が閉位置から開位置まで回転される際の電池蓋機構１５０動作について詳しく説明する。
図３において、上述したようにロックレバースプリング１３４によってＡ方向に付勢されたロックレバー１３３には突起部１４１が形成されており、該突起部１４１は、電池蓋支持板１３１に形成されたＬ字溝部１４２の短辺部分に係合している。ユーザがロックレバー１３３をロックレバースプリング１３４の付勢力に抗してＡ方向とは反対方向にスライド操作すると、突起部１４１とＬ字溝部１４２の短辺部分との係合が外れ、電池蓋１３０はロック解除位置の方向であるＣ方向にスライド可能となる。
図４に示すように、接片固定部材１３５の底面には、斜面部（カム部）１４３ａ，１４３ｂ，１４３ｃ，１４３ｄが形成されている。また、接片固定部材１３５の底面には、電池蓋１３０との連結に使用される回転止め部１４４とダボ１４５とが設けられている。回転止め部１４４とダボ１４５を介して接片固定部材１３５と電池蓋１３０とが連結されることにより、接片固定部材１３５及び電池接片１３６，１３７は、電池蓋１３０と一体となってＣ方向にスライドする。また、接片固定部材１３５は、電池蓋１３０に対して、前述した接片押圧方向であるＤ方向に移動可能であり、不図示の抜け止め機構によってＤ方向において電池蓋１３０から外れないように構成されている。
図５に示すように、電池蓋支持板１３１に固定された駆動部材１４０は、斜面部（カム部）１４９ａ，１４９ｂ，１４９ｃ，１４９ｄを有する。これらの斜面部１４９ａ，１４９ｂ，１４９ｃ，１４９ｄはそれぞれ、接片固定部材１３５に設けられた斜面部１４３ａ，１４３ｂ，１４３ｃ，１４３ｄに対応して設けられている。
電池蓋１３０がロック位置にあるとき、接片固定部材１３５の斜面部１４３ａ，１４３ｂ，１４３ｃ，１４３ｄは駆動部材１４０の斜面部１４９ａ，１４９ｂ，１４９ｃ，１４９ｄに乗り上げている。また、図６に示すように、電池蓋１３０には、電池蓋係合部（第２の係合部）１５０ａ，１５０ｂ，１５０ｃ，１５０ｄ，１５０ｅが複数設けられている。一方、カメラ本体１１０（電池室２００）には、本体係合爪（第１の係合部）２０１ａ，２０１ｂ，２０１ｃ，２０１ｄ，２０１ｅが複数設けられている。電池蓋１３０がロック位置にあるとき、各電池蓋係合部と各本体係合部は互いに係合している。これにより、電池蓋機構１５０は、カメラ本体１１０に対して閉位置にロックされている。
電池蓋１３０が電池蓋支持板１３１に対してＣ方向にスライド操作されると、接片固定部材１３５も電池蓋支持板１３１に対して同方向にスライドする。これにより、接片固定部材１３５の斜面部１４３ａ，１４３ｂ，１４３ｃ，１４３ｄが駆動部材１４０の斜面部１４９ａ，１４９ｂ，１４９ｃ，１４９ｄ上を摺動して下り、接片固定部材１３５及び電池接片１３６，１３７はＤ方向とは反対方向に移動する。
また、電池蓋１３０がＣ方向にスライドすると、電池蓋係合部１５０ａ，１５０ｂ，１５０ｃ，１５０ｄ，１５０ｅが本体係合爪２０１ａ，２０１ｂ，２０１ｃ，２０１ｄ，２０１ｅから外れ、これらの係合が解除される。これにより、電池蓋機構１５０は、図６に示すＥ方向にシャフト１３２を中心として回転可能になり、電池蓋機構１５０を開位置に回転操作することができる。
図７には、電池蓋１３０がＣ方向にロック解除位置までスライドして、電池蓋機構１５０が閉位置にあるが開位置に向かって回転可能になった状態での断面構造を示している。この際、接片固定部材１３５及び電池接片１３６，１３７は電池蓋１３０に対してＤ方向とは逆方向に移動しており、電池室２００内に収納された電池（図６に符号２１０で示す）の電極面から離れている。
なお、電池蓋１３０がロック位置からＣ方向にスライドすることで、ロックレバー１３３は、突起部１４１が電池蓋支持板１３１のＬ字溝部１４２の長辺部分と係合することで、Ａ方向とは反対方向に操作された状態で保持される。
次に、電池蓋機構１５０が開位置から閉位置に回転され、電池蓋１３０がロック解除位置からロック位置にスライド操作される際の電池蓋機構１５０動作について詳しく説明する。
電池蓋機構１５０は、シャフト１３２を中心として、図６に示すＥ方向とは反対方向に回転操作されることで、図８に示すように閉位置に到達する。このとき、電池接片１３６，１３７は、電池室２００に挿入された電池２１０の電極面から離れている。
電池蓋１３０がＣ方向とは逆方向（ロック位置側）にスライド操作されると、接片固定部材１３５も同方向にスライドする。これにより、電池蓋係合部１５０ａ，１５０ｂ，１５０ｃ，１５０ｄ，１５０ｅが本体係合爪２０１ａ，２０１ｂ，２０１ｃ，２０１ｄ，２０１ｅに係合し始める。その後、接片固定部材１３５の斜面部１４３ａ，１４３ｂ，１４３ｃ，１４３ｄが駆動部材１４０の斜面部１４９ａ，１４９ｂ，１４９ｃ，１４９ｄ上に乗り上げ、接片固定部材１３５及び電池接片１３６，１３７は電池蓋１３０に対してＤ方向に移動する。
図９には、電池蓋係合部１５０ｂと本体係合爪２０１ｂとが係合し始めた際（電池蓋係合部１５０ｂと本体係合爪２０１ｂの一部同士が係合した係合初期状態）における斜面部１４３ｂと斜面部１４９ｂとの位置関係を示す。電池蓋係合部１５０ｂは本体係合爪２０１ｂに係合し始めているが、斜面部１４３ｂ，１４９ｂはまだ互いに接していない。この位置から電池蓋１３０がさらにＣ方向とは逆方向にスライド操作されると、電池蓋係合部１５０ｂと本体係合爪２０１ｂとの係合がより深くなりながら、斜面部１４３ｂが斜面部１４９ｂに乗り上げる。これにより、接片固定部材１３５及び電池接片１３６，１３７がＤ方向に移動する。
このように、本実施例では、電池蓋１３０がロック解除位置からロック位置に向かってスライドする際に、各電池蓋係合部が各本体係合爪に係合し始めた後に、駆動部材１４０が電池接片をＤ方向に移動させる。言い換えれば、駆動部材１４０が電池接片１３６，１３７をＤ方向に移動させる前に各電池蓋係合部が各本体係合爪に係合し始める。
Ｄ方向に移動した電池接片１３６，１３７は、電池２１０の電極面に押し付けられてチャージ（弾性変形）され、電池２１０の反対側の電極面を電池室２００内に設けられた不図示の電池接片に押し付ける。これにより、カメラ１００に衝撃等の外力が作用した場合でも、電池２１０の各電極面から各電池接片が離れて瞬断が発生することが防止される。
図１０には、電池蓋機構１５０が開位置から閉位置に回転操作され、さらに電池蓋１３０がロック解除位置からロック位置にスライド操作されるときの電池室２００内に設けられた電池接片に生じる接触圧（以下、接片圧という）の変化を示している。
３０１は本実施例の電池蓋機構を採用しない場合の接片圧の変化を示すグラフであり、電池蓋の回転操作が終了した時点で９００ｇｆの接片圧が発生し、その後、電池蓋のスライド中、接片圧は一定のまま推移する。電池蓋の回転操作が終了した時点で大きな接片圧が生じることで、電池蓋を閉位置に強い力で押さえ込んだままスライド操作しなければならない。このため、接片圧を高めるほど、電池蓋１３０を閉じるときの操作性が低下する。
これに対し、３０２は本実施例の機構を採用した場合の接片圧の変化を示すグラフである。電池蓋１３０（電池蓋機構１５０）の回転操作が終了した時点では、電池接片１３６，１３７は電池２１０の電極面から離れているため、電池２１０を電池室２００内に押し込むチャージストロークが小さくなり、接片圧も６００ｇｆしか発生しない。
そして、電池蓋１３０がロック位置の方向にスライドし、電池蓋係合部１５０ｂと本体係合爪２０１ｂとが係合し始め、さらに接片固定部材１３５の斜面部１４３ｂが駆動部材１４０の斜面部１４９ｂに乗り上げ始めるまでは、接片圧は変化しない。
電池蓋１３０がロック位置の方向にさらにスライドし、接片固定部材１３５の斜面部１４３ｂが駆動部材１４０の斜面部１４９ｂに乗り上げて接片固定部材１３５及び電池接片１３６，１３７がＤ方向に移動すると、接片圧が増加し始める。こうして、最終的に、接片圧は、必要接片圧である９００ｇｆに達する。
このように、本実施例では、電池蓋１３０の回転操作が終了した時点では大きな接片圧は生じないので、電池蓋１３０を閉位置に強い力で押さえ込む必要がない。しかも、接片圧が増加する前（電池接片１３６，１３７がＤ方向に移動する前）に電池蓋係合部１５０ｂが本体係合爪２０１ｂに係合を開始しているので、増加する接片圧を電池蓋係合部１５０ｂと本体係合爪２０１ｂによって受けることができる。このため、電池蓋１３０をスライド操作する際にも電池蓋１３０を強い力で押さえ込む必要はない。したがって、接片圧を高めても、電池蓋１３０を閉じるときの操作性は良好である。
なお、接片固定部材１３５及び電池接片１３６，１３７が、Ｄ方向に移動し始めるタイミングは、電池蓋係合部と本体係合爪が係合し始めた後、できるだけ早いタイミングであることが望ましい。
また、電池接片１３６，１３７は、電池蓋１３０のスライド方向と同方向（Ｃ方向とは逆方向）にスライドしながらＤ方向に移動するため、電池２１０の電極面を引っ掻き、該電極面上の酸化金属被膜や汚れ等を除去する。これにより、導通不良が発生するのを防ぐことができる。
また、電池蓋１３０がロック位置に到達する直前から、ロックレバー１３３がカメラ本体１１０によってＢ方向のうちシャフト１３２側に押され、ロックレバー１３３の突起部１４１が電池蓋支持板１３１のＬ字溝部１４２の長辺部分内でスライドする。
図１１に示すように、電池蓋１３０がロック位置に到達すると、突起部１４１がＬ字溝部１４２の長辺部分と短辺部分の交点までスライドする。これにより、ロックレバー１３３はロックレバースプリング１３４の付勢力によりＡ方向に引き込まれ、突起部１４１がＬ字溝部１４２の短辺部分に係合する。このため、電池蓋１３０のＢ方向へのスライドが阻止され、閉位置にロックされた状態となる。
図１２には、電池蓋１３０が閉位置でロックされた状態での断面構造を示す。電池蓋１３０がＣ方向とは逆方向（Ｅ方向）にスライドされて電池蓋係合部１５０ｂと本体係合爪２０１ｂとの係合が完了し、接片固定部材１３５及び電池接片１３６，１３７は電池蓋１３０に対してＤ方向に移動している。この状態で、前述したように必要接片圧が得られる。
以上説明したように、本実施例によれば、電池２１０を電池室２００に挿入して電池蓋機構１５０を閉じた後、電池蓋１３０のロック位置の方向へのスライドを開始するまでは、電池接片１３６，１３７がＤ方向に移動せず、電池２１０に押し付けられない。このため、電池蓋機構１５０を閉じる際に必要な操作力が軽減される。しかも、各電池蓋係合部が各本体係合部に係合し始めた後に各電池接片がＤ方向に移動して電池２１０に押し付けられるので、電池蓋１３０をスライドさせるのに必要な操作力を軽減しつつ、各電池接片の電池２１０への接触圧を大きくすることができる。したがって、電池接片の電池への追従性が良く、かつ電池の本数が増えても操作性が良好な電池蓋機構を有するカメラ（電子機器）を実現することができる。
【０００９】
なお、電池蓋１３０がロック解除位置からロック位置に向かってスライドする際に、複数の電池蓋係合部のうち回転軸であるシャフト１３２から最も遠い電池蓋係合部が他の電池蓋係合部よりも先に本体係合部に係合するようにしてもよい。
また、上記実施例においては、１つの接片蓋固定部材に対して２つの電池接片が固定される場合について説明したが、電池接片ごとに接片固定部材を設けてもよい。すなわち、接片固定部材を複数設けてもよい。
閉位置に回転した電池蓋に作用するトルクは、回転軸から遠い位置ほどトルクが大きくなり、操作力への影響も大きくなる。このため、複数の接片固定部材のうち、回転軸から遠い側の接片固定部材（及び電池接片）のみを、上記実施例にて説明したようにＤ方向に移動させるようにしてもよい。
また、複数の接片固定部材のそれぞれに設けられている斜面部の高さを互いに異ならせてもよい。この場合、操作力に影響の大きい回転軸から遠い側の接片固定部材のＤ方向への移動量が大きくなり、操作力に影響の小さい回転軸に近い接片固定部材のＤ方向への移動量が小さくなるようにしてもよい。
以上説明した各実施例は代表的な例にすぎず、本発明の実施に際しては、各実施例に対して種々の変形や変更が可能である。
【００１０】
上記実施例では、撮像装置であるデジタルカメラにおける電池蓋機構について説明したが、本発明は撮像装置に限らず、様々な種類の電池を使用する電子機器に適用することができる。
【産業上の利用可能性】
【００１１】
電池接片の電池への追従性が良く、かつ電池の本数が増えても操作性が良好な電池蓋機構を有する電子機器を実現する。
【符号の説明】
【００１２】
１００  デジタルカメラ
１３０  電池蓋
１３１  電池蓋支持板
１３２  シャフト
１３３  ロックレバー
１３４  ロックレバースプリング
１３５  接片固定部材
１３６，１３７  電池接片
１４０    駆動部材
１４３ａ〜１４３ｄ，１４９ａ〜１４９ｄ  斜面部
１５０ａ〜１５０ｅ  電池蓋係合部
２００  電池室
２０１ａ〜２０１ｅ  本体係合爪
【図４】
2010205516.tif 000003
【図１】
2010205516.tif 000004
【図２】
2010205516.tif 000005
【図３】
2010205516.tif 000006
【図５】
2010205516.tif 000007
【図６】
2010205516.tif 000008
【図７】
2010205516.tif 000009
【図８】
2010205516.tif 000010
【図９】
2010205516.tif 000011
【図１０】
2010205516.tif 000012
【図１１】
2010205516.tif 000013
【図１２】
2010205516.tif 000014